(57)【要約】【課題】昇り旗１が風で靡いて巻き上げられたり、吹き飛ばされたり、縦棒４に絡まって、昇り旗の訴求効果を落とさない昇り旗の巻き上げ絡み防止具５を提供する。【解決手段】昇り旗１の乳２と縦棒４の間にポリエチレン樹脂等の柔軟材からなる、昇り旗の巻き上げ絡み防止具５を乳２と縦棒４の間に挟み、昇り旗１の乳２に添い当て昇り旗の巻き上げ絡み防止具５で乳２を保持しながら縦棒４と昇り旗の巻き上げ絡み防止具５との接触抵抗を少なくして昇り旗１がスムーズに回転すると同時に昇り旗１の錘となる昇り旗の巻き上げ絡み防止具５。【選択図】    図６
2004258160.tif 000002
【特許請求の範囲】
【請求項１】
昇り旗（１）の乳（２）を横棒（３）と縦棒（４）に通して使われる昇り旗（１）の縦棒（４）と乳（２）の間に弾性材料である昇り旗の巻き上げ絡み防止具（５）を乳（２）に添い当て、乳（２）を保持した状態で縦棒（４）を挟む昇り旗の巻き上げ絡まり防止具。
【請求項２】
請求項１の昇り旗の巻き上げ絡み防止具（５）の端部に他の昇り旗の巻き上げ絡み防止具（５）を連結するための接続部を設け、複数個の昇り旗の巻き上げ絡み防止具（５）を連結することを特徴とする昇り旗の巻き上げ絡み防止具。
【発明の詳細な説明】
【０００１】
【発明に属する技術分野】
本発明は乳２を縦棒４、横棒３に通して使用される昇り旗１が図２の様に風で巻き上げられる、昇り旗が図３の様に風で吹き上げられる、図４の様に昇り旗１が縦棒４に絡む等を防止するための昇り旗の巻き上げ絡まり防止具５に関するものである。
【０００２】
【従来の技術】
従来は図１に示すように昇り旗１は乳２を縦棒４と横棒３に通してイベントや店頭での広告宣伝訴求物として使われていた。
【０００３】
昇り旗１の巻き上げ防止用として昇り旗が風によって図２の様に巻き上がったり、図３の様に吹き上げられたり、横棒３と共に昇り旗１が吹き飛ばされ縦棒４から外れたりする事を防止するために、最下部の乳２の部位に紐を取り付け、その紐で昇り旗１の下部を縦棒４に縛って昇り旗１の下部を縦棒４に固定する。最下部の乳２の部位に錘をつける、又は昇り旗１の最下部の乳２を縦棒４に挟んで乳２を縦棒４に固定してしまう等で昇り旗１が風で上部に巻き上がらないようにする方法が取られていた。
【０００４】
昇り旗１の乳２を横棒３と縦棒４に通して使われる昇り旗１では雨で乳２が濡れると、乳２と縦棒４が引っ付き、昇り旗１が風で靡いて縦棒４を中心にして回転する時に、乳２が縦棒４に引っ付くのが原因で、昇り旗１の回転に乳２が追従しなくなり、図４の様に昇り旗１が縦棒４に絡む。又、強風時は横棒３及び昇り旗１が縦棒４を中心に回転する時に昇り旗１の下部の乳２の部分が縦棒４に絡んで横棒３や昇り旗１の回転に追従出来なくなり、図４の様に昇り旗１が縦棒４に絡む事があった。それ故、昇り旗１が縦棒４に絡むのを防止するために、昇り旗１の下部の乳２の部分に縦棒４に遊嵌するパイプ６を、図５の様に嵌めて、乳２が縦棒４に絡まないように、パイプ６の一部で乳２を挟んで、パイプ６が縦棒を中心として回転する事により、昇り旗１が縦棒４に絡むのを防止する方法等があった。
【０００５】
【発明が解決しようとする課題】
昇り旗１が風で巻き上がるのを防止するために従来は昇り旗１の最下部の乳２の部位に紐を取り付け、その紐で昇り旗１の下部を縦棒４に縛って昇り旗１の下部を固定してしまう。最下部の乳２の部位に錘をつける、又は昇り旗１の最下部の乳２と縦棒４をパイプ片等で挟んで縦棒４に固定して、昇り旗１が風で上部に巻き上がらないようにする方法が取られていた。しかし、昇り旗１の巻き上げを防止できても風により横棒３が回転したり、昇り旗１が靡いて、縦棒４を中心に回転すると昇り旗１の下部が縦棒２に固定されているので図４の様に昇り旗１が縦棒２に絡み昇り旗１の旗面の訴求が出来なかったり、横棒３が縦棒４に絡んだ昇り旗１に引っ張られて横棒３が曲がり折れたりした。図５の様に縦棒４に遊嵌するパイプ６を嵌めてパイプ６で乳２を挟む方法でも、乳２が長い場合は乳２が雨で濡れてパイプ６及び縦棒４に絡むことがあった。
【０００６】
昇り旗１の絡み防止用として縦棒４に遊嵌するパイプ６を嵌めてパイプ６で乳２を挟んで、乳２とパイプ６とが共に縦棒４を中心として回転し、昇り旗１が縦棒４に絡まるのを防止する方法等があった。しかし、縦棒４に遊嵌するパイプ６は縦棒４の太さに合った物に限定され、縦棒４の太さが異なる毎に縦棒４の太さにあった縦棒４に遊嵌するパイプ６を使用する必要があった。従って、パイプ６は縦棒４に遊嵌するパイプ６の内径の大きさより縦棒４が太いとパイプ６は縦棒４に嵌らない、縦棒４が細くなると昇り旗１は縦棒４を中心にスムーズに回転出来ない等で縦棒４の太さに合う物に限定されているので、縦棒の太さが少し変わると使えない等で縦棒４の太さに対しての汎用性が乏しかった。
【０００７】
【課題を解決するための手段】
本発明は昇り旗１が風で巻き上がったり、縦棒４に絡むのを防止する汎用性の広い昇り旗の巻き上げ絡み防止具５を提供する事を目的として以下の手段が用いられている。
【０００８】
昇り旗１が風で巻き上がるのに対し、本発明では乳２と縦棒４との間にポリエチレン樹脂、ステンレス薄板鋼板等の縦棒に沿って曲がり、縦棒４を挟む柔軟性のある材料で作られた帯状の昇り旗の巻き上げ絡み防止具５を乳２に添い当て、縦棒４に図６の様に乳２を保持して、縦棒４を挟んでセットする。従って、縦棒４にセットされた昇り旗の巻き上げ絡み防止具５は乳２の錘となり昇り旗が巻き上げられるのを防止する。
【０００９】
一般的に昇り旗１の縦棒４が垂直に立てられているのに対し昇り旗の巻き上げ絡み防止具５は昇り旗１と共に風で靡きながら上昇するので垂直な縦棒４に対し、昇り旗１の靡き度合に応じて、種種の角度で上昇する。
昇り旗の巻き上げ絡み防止具５が風によって巻き上げられるとき縦棒４と昇り旗の巻き上げ絡み防止具５の角度差が生じ、その角度差により、昇り旗の巻き上げ絡み防止具５と縦棒４の間で昇り旗１の上昇をロックする作用が働き、昇り旗１の巻き上げを防止する。
【００１０】
風で巻き上げられる昇り旗１は縦棒４のジョイント部７で縦棒４を挟んだ状態で取り付けられた昇り旗の巻き上げ防止具５の鍔部１３が当たり上昇をストップさせられるので昇り旗１が巻き上げられるのを防止する。
【００１１】
本発明では乳２と縦棒４との間にポリエチレン樹脂、ステンレス薄板鋼板等で縦棒に沿って曲がる柔軟材で帯状の昇り旗の巻き上げ絡み防止具５を乳２に添い当てる。昇り旗の巻き上げ絡み防止具５の鍔１３は縦棒４に対し、点接触の状態で取り付けられる。従って、昇り旗１の乳２が雨で濡れても乳２が縦棒４に接触しないので乳２と縦棒４が引っ付かず、昇り旗の巻き上げ絡み防止具５が縦棒４を中心に昇り旗１と共にスムーズに回転して昇り旗１が縦棒４に絡むことを防止できる。
【００１２】
昇り旗の巻き上げ絡み防止具５は縦棒を挟む様に曲がる柔軟材料なので縦棒４と乳２との隙間の余裕量だけ昇り旗の巻き上げ絡み防止具５の柔軟性の範囲で縦棒４の太さが変わっても使用できる汎用性がある。図８の縦棒４の太さの物には昇り旗の巻き上げ絡み防止具５を閉じる事が出来る。図８の縦棒４より太い縦棒４に対して、昇り旗の巻き上げ絡み防止具５を閉じることが出来ない場合は図９の様に昇り旗の巻き上げ絡み防止具５で乳２を保持し、縦棒４を挟んだ状態で使用できるので、縦棒４の太さが変わっても昇り旗の巻き上げ絡み防止具５は汎用性を持つて使用できる。
【００１３】
本発明では乳２と縦棒４との間に縦棒４に沿って曲がる柔軟材料であるポリエチレン樹脂、ステンレス薄板鋼板等の柔軟性のある帯状の昇り旗の巻き上げ絡み防止具５を乳２に添い当てるが、縦棒４が太く図８、図９の様に１ヶの昇り旗の巻き上げ絡み防止具５で縦棒４を覆うことが出来ない場合に、昇り旗の巻き上げ絡み防止具５の端に接続可能なＡ凹８、Ｂ凹９、Ｃ凸１０、Ｄ凸１１等の突起と穴、切り欠き等の突き合わせ、又は重ね合わせ等によって、縦棒４の太さに合わせて昇り旗の巻き上げ絡み防止具５を繋ぎ合わせて使用する事が可能である。
【００１４】
【実施例】
昇り旗の巻き上げ絡み防止具５の柔軟性は縦棒４に添って曲げて縦棒を挟む事が必須条件である。従って昇り旗の巻き上げ絡み防止具５の材質は柔軟性のあるポリエチレン樹脂、ステンレス薄板帯状鋼板、樹脂被覆帯状鋼板等では図７に示すように板状の物を曲げて使用することが出来る。柔軟度の低い樹脂、ゴム材、薄板鋼板等の材質のものは予め縦棒に添いやすくＵ字型等に成型をして使用する事も出来る。
【００１５】
図６は本発明の昇り旗の巻き上げ絡み防止具５の使用時の斜視図である。昇り旗の巻き上げ絡み防止具５の鍔部１３は切り欠き１２と共に縦棒２に添い易く曲がる効果を持つと同時に、昇り旗１が巻き上げられる時に鍔部１３は縦棒４のジヨイント部７に当たり、昇り旗１の巻き上げを防ぐ。
【００１６】
昇り旗の巻き上げ絡み防止具５は乳２の近くで縦棒４を挟んだ状態で輪を作り乳２の上下のどちら側からでも乳２の内側を通して図６の様にセットする。
【００１７】
昇り旗の巻き上げ絡み防止具５は柔軟材でポリエチレン樹脂、ステンレス鋼板等の弾性のある材料で作られた帯状である故に、昇り旗１の縦棒２の太さが異なるものに対しても図８、図９、に示すように縦棒４の太さの違うものに対して１本の昇り旗の巻き上げ絡み防止具５で使用できる汎用性がある。
【００１８】
本発明の昇り旗の巻き上げ絡み防止具５の両端にはＡ凹８、Ｂ凹９、Ｃ凸１０、Ｄ凸１１、切り欠き等の接続手法を用い同じ昇り旗の巻き上げ絡み防止具５を繋ぎ合わせる事により縦棒の太さの変わる昇り旗に対しても同じ昇り旗の巻き上げ絡み防止具５を繋ぎ合わせて図１０の様な使用が可能となる。図１０はＸ、Ｙ、Ｚの３本の昇り旗の巻き上げ絡み防止具５を繋ぎ合わせた例である。
【００１９】
【発明の効果】
本発明の昇り旗の巻き上げ絡み防止具５は乳２の内側から添い当てることが出来るので使用状態にある昇り旗１がセットされた状態で取り付けることが出来るので昇り旗の巻き上げ絡まり防止具５の取り付けが簡単にできる。
【００２０】
昇り旗の巻き上げ絡み防止具５は柔軟性がある故図８、図９、に示すように１本の昇り旗の巻き上げ絡み防止具５で太さの異なる縦棒４に使用できる汎用性がある。
【００２１】
通常店頭で広告宣伝用に使われる昇り旗１に比べ、国旗、祭り等に使われる昇り旗１の場合は縦棒４が太くなるので、１本の昇り旗の巻き上げ絡み防止具５で縦棒４を挟む事が出来ないときは縦棒４の大きさに合わせて図１０に示すように同じ昇り旗の巻き上げ絡み防止具５を数個繋ぎ合わせ使用することが出来る。
【００２２】
昇り旗の巻き上げ絡み防止具５をセットすると筒状になり、昇り旗１が風で巻き上がる時、筒状の昇り旗の巻き上げ絡み防止具５が風で巻き上げられると、縦棒４と昇り旗の巻き上げ絡み防止具５に角度差が生じ昇り旗の巻き上げを止める機能が働き、昇り旗１の巻き上げを防止する。
【００２３】
昇り旗の巻き上げ絡み防止具５の上下の鍔１３は昇り旗１が巻き上げられた時に縦棒のジョイント部７に当たり、昇り旗１が巻き上がるのを止める働きをする。
【００２４】
鍔１３部では昇り旗の巻き上げ絡み防止具５と縦棒４とが点接触となり、昇り旗の巻き上げ絡み防止具５と縦棒４との接触抵抗が少なくなるので昇り旗１の靡きがスムーズになる。又、昇り旗の巻き上げ絡み防止具５の縦棒４に接する面をエンボス、随所に凸を設けることにより、昇り旗の巻き上げ絡み防止具５の凸部が縦棒４と接触して凸部がない場合と比べ縦棒４との接触抵抗が少なくスムーズに回転出来る。昇り旗の巻き上げ絡み防止具５の縦棒４に接する面が平坦なときに比べ凸部を設けることにより、凸部が接触摩耗により平坦になるまでの期間、昇り旗の巻き上げ絡み防止具５の使用耐用期間を延ばすことが出来る。
【００２５】
昇り旗の巻き上げ絡み防止具５の切り欠き１２、鍔１３は昇り旗の巻き上げ絡み防止具５が縦棒４に添って曲がりやくする効果がある。
【００２６】
昇り旗の巻き上げ絡み防止具５を使用することにより、昇り旗１、横棒３、縦棒４、等に異常な負荷が少なくなり、縦棒４、横棒３、昇り旗１を傷めないのでそれだけ長く使用できる。
【００２７】
昇り旗１の巻き上げや縦棒４への絡みを防止する事により、昇り旗１のアイキャツチ効果を高め、店舗であれば店のイメージアップ、入店促進、イベント等での訴求効果を高める事が出来る。
【図面の簡単な説明】
【図１】昇り旗の使用状態図
【図２】昇り旗の巻き上げ状態図
【図３】昇り旗の吹き上げ状態図
【図４】昇り旗の絡み状態図
【図５】従来のパイプの使用状態図
【図６】昇り旗の巻き上げ絡み防止具の使用状態図
【図７】板状の昇り旗の巻き上げ絡み防止具の斜視図
【図８】昇り旗の巻き上げ絡み防止具の使用状態断面図Ｅ
【図９】昇り旗の巻き上げ絡み防止具の使用状態断面図Ｆ
【図１０】昇り旗の巻き上げ絡み防止具の使用状態断面図Ｇ
【符号の説明】
１…昇り旗。
２…乳。
３…横棒。
４…縦棒。
５…昇り旗の巻き上げ絡み防止具。
６…パイプ。
７…ジヨイント部。
８…Ａ凹。
９…Ｂ凹。
１０…Ｃ凸。
１１…Ｄ凸。
１２…切り欠き。
１３…鍔。
【図１】
2004258160.tif 000003
【図２】
2004258160.tif 000004
【図３】
2004258160.tif 000005
【図４】
2004258160.tif 000006
【図５】
2004258160.tif 000007
【図６】
2004258160.tif 000008
【図７】
2004258160.tif 000009
【図８】
2004258160.tif 000010
【図９】
2004258160.tif 000011
【図１０】
2004258160.tif 000012